(57)【要約】  着用者の口及び鼻の周りに位置し、周囲の空気から密閉された比較的に閉じた領域を形成するマスクと、呼吸器の内側空間から暖かい、湿った呼気を汲み出すために、マスク上に設けられ、通気システムを搭載するための少なくとも１つの一方向弁と、弁の上に装着され、呼気サイクルの期間に動作する少なくとも１つの能動型通気システムとを備えた呼吸装置を開示する。一方向弁の上側ハウジングは、その上に能動型通気システムを装着するための装着部材を有する。能動型通気システムは弁の上に装着でき、取り外しできる。能動型通気システムを装着した弁は、呼気サイクルの期間に、早くマスク内部の空気を効率的に、早く交換できる。ＡＶＳが弁の上に装着されていないときに、美的な目的のために、簡単な弁キャップが代わりに装着される。【選択図】図１０
2017516546.tif 000002
【特許請求の範囲】
【請求項１】
着用者の口及び鼻の周りに位置し、周囲の空気から密閉された比較的に閉じた領域を形成するマスクと、
呼吸器の内側空間から暖かい、湿った呼気を汲み出すために、マスク上に設けられ、通気システムを搭載するための少なくとも１つの一方向弁とを備え、
一方向弁が、上側ハウジングと、下側ハウジングと、膜シートと、膜シートにピン留めされた膜と、第１装着部材とを有する
呼吸装置。
【請求項２】
通気システムは、一方向弁上に搭載され、呼気サイクルの期間に動作し、電動送風器、電源及び第２装着部材からなる能動型通気システムであって、
能動型通気システムは、第１装着部材に第２装着部材を固定することで、一方向弁の上側ハウジング上に装着可能であり、マスクからの呼気を効率的に、早く排出する
請求項１記載の呼吸装置。
【請求項３】
通気システムは、第１装着部材から第２装着部材を外すことにより、一方向弁の上側ハウジングから取り外しできる
請求項２記載の呼吸装置。
【請求項４】
下側及び上側ハウジングは、射出成型され、一緒に定着され、呼吸器上に設けられる
請求項１乃至請求項３のいずれか１項記載の呼吸装置。
【請求項５】
上側ハウジングは、上側ハウジングの外周から中柱にまで延在する、複数の支柱を有する
請求項１乃至請求項４のいずれか１項記載の呼吸装置。
【請求項６】
中柱は、上側ハウジングの低い側の中心から下側ハウジングの中心にまで延在する
請求項５記載の呼吸装置。
【請求項７】
膜は、上側及び下側ハウジングの間に位置し、膜は中柱と膜シートとの間の中心でピン留めされる
請求項５記載の呼吸装置。
【請求項８】
膜は、呼気サイクルの期間に、弁の全周で開き、呼吸器の内側空間から暖かい、湿った呼気を汲み出す
請求項１乃至請求項７のいずれか１項記載の呼吸装置。
【請求項９】
通気システムは、膜が開いたときに、能動的に空気を吸い出す
請求項１記載の呼吸装置。
【請求項１０】
膜は、周囲の空気がマスク内部へ逆流するのを防ぐ
請求項１記載の呼吸装置。
【請求項１１】
膜は、通気システムが電源切れし、及び／又は、動作を停止したときに、周囲の空気がマスク内部へ逆流するのを防ぐ
請求項１記載の呼吸装置。
【請求項１２】
一方向弁の上側ハウジングは、美的な目的のために、弁キャップで覆われる
請求項１記載の呼吸装置。
【請求項１３】
第２装着部材は、少なくとも１つの係止歯を有し、第１装着部材は、少なくとも１つの係止歯を受けるための、少なくとも１つの溝を有する
請求項２記載の呼吸装置。
【請求項１４】
通気システムは、その溝を一方向弁の係止歯に挿入し、能動型通気システムを時計回りで回すことにより、一方向弁に固定される
請求項１３記載の呼吸装置。
【請求項１５】
通気システムは、能動型通気システムを反時計回りで回すことにより、一方向弁から外される
請求項１３記載の呼吸装置。
【請求項１６】
第１及び第２装着部材は、磁石、及び／又は、スナップフィットを備える
請求項２記載の呼吸装置。
【請求項１７】
呼吸装置が、使い捨て可能な、又は、使い捨て可能ではない種類である
請求項１記載の呼吸装置。
【発明の詳細な説明】
【技術分野】
【０００１】
本開示は、概して呼吸装置に関する。本開示の実施の形態は、特に、能動型通気システム（Active Venting System）が上に装着されることができる特徴を有し、フェイスマスク又は呼吸器（respirator）で用いるための、一方向弁に関する。
【背景技術】
【０００２】
フィルタフェイスマスク又は呼吸器は、ユーザがダスト又は化学粒子を吸い込むことを防ぐために、フィルタ特性及び認証に応じて、広く用いられている。しかしながら、呼吸器を長時間着用することは、呼吸器内部での熱気、湿気及び二酸化炭素の増加により、ユーザに不快感を起こさせる。時間が経過するにつれて、湿気の増加は更にフィルタ材料を妨げ、ユーザが呼吸をするのをより困難にする。
【０００３】
これらの問題を軽減するために、一般に、一方向弁が呼吸器に設けられる。呼吸器で用いられる弁についての考え（valve concept）及び膜又は弁（flap）には異なる種類がある。基本的な考えは、息を吐き出すことで弁が開いたときに、呼吸器の内側空間から、暖かい、湿った呼気を汲み出すのを可能にすることである。逆に、息を吸い込むことで弁が閉じたときに、周囲の空気及び粒子が呼吸器の内側に入るのを防ぐ。しかしながら、これらの弁は限定的な有効性を有していて、呼気が充分に早く一掃されることを可能としない。このことは、もしも、呼吸器の内部空間が大きくて、より大きなデッドスペースが有るときに、又は、もしも、着用者の呼吸が浅くて、それが膜又は弁を広く開くほど強くないかもしれないときに、より一層明らかになる。
【０００４】
呼吸器の多くには、電動ファン付き呼吸用保護具（Powered Air Purifying Respirators  （ＰＡＰＲ））が設けられており、それは、呼吸器の外部からの空気を呼吸器の内部に供給するための送風器（blower）を備えている。そのような送風器は、着用者に正の気流（positive air-flow）を提供し、又は、空気を供給する。ある呼吸装置は、例えば、呼吸器の内部空間から暖かい、湿った空気を吸い出すための能動型通気システム（ＡＶＳ）を用いており、それは、プラスチックのハウジングの中に送風器及び電子装置を備えている。ＡＶＳはＰＡＰＲとは異なる働きをして、呼吸器の中に空気を供給せず、むしろ、呼吸器の内部から空気を吸い出して、空気交換を提供する。
【０００５】
このように、呼吸器には普通は一方向弁、ＡＶＳ又はＰＡＰＲシステムのどれかが設けられて、呼吸器内部での空気交換を可能にする。ＡＶＳはＰＡＰＲシステムと比べて、長時間の使用でも着心地が良く、一般の人々に適している。一方弁だけを有する呼吸器は、呼気を充分に早く一掃することを可能としない。また、ＡＶＳだけが設けられた呼吸器は、ＡＶＳが電池切れし、及び／又は、動作を停止したときに、周囲の空気が流れ込むのを防がないかもしれない。
【発明の概要】
【発明が解決しようとする課題】
【０００６】
それゆえ、上記欠点を克服するために、上に電動送風器を装着することができる特徴を有する改良された一方向弁の必要性が存在する。
【課題を解決するための手段】
【０００７】
以下の概要は、開示した実施の形態に特有の革新的な特徴のいくつかの理解を促すために提供され、完全な説明であることを意図していない。ここでは、開示した実施の形態のいろいろな態様の完全な理解は、明細書全体、特許請求の範囲、図面及び要約を全体として考慮することにより得ることができる。
【０００８】
それゆえ、開示した実施の形態の１つの目的は、呼吸装置を提供することであって、呼吸装置は、着用者の口及び鼻の周りに位置し、周囲の空気から密閉された比較的に閉じた領域を形成するマスクと、マスク上に設けられ、呼吸器の内部空間からの暖かい、湿った呼気を汲み出すための、能動型通気システムを搭載するための少なくとも１つの一方向弁と、一方向弁上に装着可能であって、呼気サイクルの期間に動作する、少なくとも１つの能動型通気システムとを備える。一方向弁は、上側ハウジング、下側ハウジング、膜シート、膜シートにピン留めされた膜及び第１装着部材を有する。
【０００９】
本発明の実施の形態によると、能動型通気システムは、電動送風器、電源及び第２装着部材から構成される。能動型通気システムは、第１装着部材上に第２装着部材を固定することにより、一方向弁の上側ハウジング上に装着することができる。
【００１０】
それゆえ、開示した実施の形態の１つの目的は、第１装着部材から第２装着部材を外すことにより、能動型通気システムを一方向弁の上側ハウジングから取り外すことができる、呼吸装置を提供することである。
【００１１】
それゆえ、開示した実施の形態の１つの目的は、一方向弁の下側及び上側ハウジングが射出成型され、共に定着され、呼吸器上に設けられた、呼吸装置を提供することである。
【００１２】
それゆえ、開示した実施の形態の１つの他の目的は、一方向弁の上側ハウジングが上側ハウジングの外周から中柱へと延在する複数の支柱を有する、呼吸装置を提供することである。中柱は、上側ハウジングの低い側の中心から下側ハウジングの中心へと延在する。
【００１３】
それゆえ、開示した実施の形態の１つの他の目的は、膜が、一方向弁の上側及び下側ハウジングの間に位置し、当該膜が中柱と膜シートとの間の中心でピン留めされた、呼吸装置を提供することである。能動型通気システムは、膜が弁内部で開いているときに、空気を能動的に吸い出す。
【００１４】
それゆえ、開示した実施の形態の他の目的は、膜が、マスクの中に周囲の空気が逆流するのを防ぐ、呼吸装置を提供することである。
【００１５】
それゆえ、開示した実施の形態の他の目的は、例えば、能動型通気システムが電池切れし、及び／又は、動作を停止したときに、膜が、マスクの中に周囲の空気が逆流するのを防ぐ、呼吸装置を提供することである。
【００１６】
それゆえ、開示した実施の形態の１つの他の目的は、能動型通気システムが弁の上に装着されていないときに、美的な目的のために、一方向弁の上側ハウジングが弁キャップで覆われている、呼吸装置を提供することである。
【００１７】
それゆえ、開示した実施の形態の１つの他の目的は、一方向弁の膜が、中央で留められた、呼吸装置を提供することである。膜は、呼気サイクルの期間に、弁の全周で開き、呼吸器の内部空間から暖かい、湿った呼気を汲み出す。
【００１８】
それゆえ、開示した実施の形態の１つの他の目的は、ＡＶＳの装着部材が少なくとも１つの係止歯を有し、一方向弁の装着部材が、能動型通気システムを固定するときに、少なくとも１つの係止歯を受けるための少なくとも１つの溝を有する、呼吸装置を提供することである。
【００１９】
それゆえ、開示した実施の形態の１つの他の目的は、一方向弁の係止歯をＡＶＳの溝に挿入して、能動型通気システムを時計回りで回すことにより、能動型通気システムを一方向弁に固定する、呼吸装置を提供することである。能動型通気システムは、能動型通気システムを反時計回りで回すことにより、一方向弁から外される。
【００２０】
それゆえ、開示した実施の形態の１つの他の目的は、装着部材は磁石、及び／又は、スナップフィット（snap-fit）を備え、呼吸装置は、使い捨て可能な、又は、使い捨て可能ではない種類であり得る、呼吸装置を提供することである。
【００２１】
それゆえ、開示した実施の形態の他の目的は、もしも、呼吸器の内部空間が大きくて、より大きなデッドスペースが有る場合、又は、もしも、着用者の呼吸が浅くて、それが膜又は弁を広く開くほど強くないかもしれない場合に、能動型通気システムを有する弁が、呼気を効率的に、早く除去できる、呼吸装置を提供することである。
【発明の効果】
【００２２】
本発明の他の態様及び利点は、本発明の原理の例として図示する添付図面と共に、以下の詳細な説明から明らかになるであろう。
【００２３】
上記の概要及び例示的な実施の形態の以下の詳細な説明は、添付した図面と合わせて読んだときに、より良く理解される。本開示を図示する目的のために、本開示の模範的な構成が図面に示される。しかしながら、本開示は、ここに開示する特別な方法及び手段に限定されない。その上、当業者は、図面が原寸に比例していないことを理解するであろう。可能であるならば、同様の構成要素は、同じ番号により示される。
【図面の簡単な説明】
【００２４】
【図１】開示した実施の形態に従う、一方向弁の斜視図である。
【図２】開示した実施の形態に従う、図１に示す一方向弁の平面図である。
【図３】開示した実施の形態に従う、図１に示す一方向弁の側面図である。
【図４】開示した実施の形態に従う、図３に示す一方向弁の断面図である。
【図５】開示した実施の形態に従う、能動型通気システムの斜視図である。
【図６】開示した実施の形態に従う、図５に示す能動型通気システムを装着した、図１に示す一方向弁の断面図である。
【図７】開示した実施の形態に従う、弁キャップを装着した、図１に示す一方向弁の側面図である。
【図８】開示した実施の形態に従う、一方向弁を装着するための孔を示す、折りたたんで格納することができる（foldable）、使い捨て可能な、呼吸器の側面図である。
【図９】開示した実施の形態に従う、図８に示す孔に設けられた、図１に示す一方向弁を有する、折りたたんで格納することができる、使い捨て可能な、呼吸器の側面図である。
【図１０】開示した実施の形態に従う、一方向弁上に装着された能動型通気システムを有する、折りたたんで格納することができる、使い捨て可能な、呼吸器の側面図である。
【図１１】開示した実施の形態に従う、一方向弁上に装着された、図７に示す弁キャップを有する、折りたたんで格納することができる、使い捨て可能な、呼吸器の側面図である。
【発明を実施するための形態】
【００２５】
これらの何も限定しない例で論じられる、特有の弁及び配置は変形可能であって、少なくとも１つの実施の形態を単に示すために引用され、範囲を限定することを意図していない。
【００２６】
着用者の口及び鼻の周りに位置し、周囲の空気から密閉された比較的に閉じた領域を形成するマスクと、マスク上に設けられ、呼吸器の内部空間から暖かい、湿った呼気を汲み出すための、少なくとも１つの一方向弁と、弁の上に装着されて、呼気サイクルの期間に動作する、少なくとも１つの能動型通気システムとを備えた呼吸装置が開示されている。一方向弁の上側ハウジングは、能動型通気システムを装着するための装着部材を有する。能動型通気システムは、弁の上で装着又は取り外しができる。能動型通気システムを装着した弁は、呼気サイクルの期間に、マスクの内側からの空気を効率的に、早く交換する。弁の上にＡＶＳが装着されていないときに、美的な目的のために、簡単な弁キャップを代わりに装着することができる。
【００２７】
図１〜４を参照すると、呼吸装置で用いるための一方向弁１００が開示される。一方向弁１００は、上側ハウジング１０８、下側ハウジング１１０、膜１１４、少なくとも１つの第１装着部材１０２、膜シート１１６、中柱１０６、及び、弁１００の外周から中柱１０６にまで延在する少なくとも１つの支柱１０４を有する。一方向弁１００は、２ｉｎ１の弁として動作する。弁１００の１つの目的は、呼吸器の内側空間からの暖かい、湿った空気を、（図４に示す）膜１１４を介して発散するための一方向弁として動作することである。弁１００の他の目的は、呼吸器の内側空間からの暖かい、湿った空気を効率的に、早く除去するために、弁１００上に能動型通気システム（ＡＶＳ）を装着できるようにすることである。
【００２８】
図３、４は、上側ハウジング１０８及び下側ハウジング１１０を有する弁１００の一実施の形態を示す。上側ハウジング１０８は、例えば、１つ以上の第１装着部材１０２、１つ以上の係止歯、及び、上側ハウジング１０８の外周から中柱１０６にまで延在する少なくとも１つの支柱１０４を有する。上側ハウジング１０８及び下側ハウジング１１０は射出成型され、いろいろな手段を介して呼吸器上に設けられる。呼吸器上にハウジングを設ける最も一般的な方法は、超音波熱定着（ultrasonic heat fusing）であるが、他の定着方法を用いることもでき、これらには限定されない。注目すべきことは、最も理想的な弁の形状は円形であるが、長方形、楕円形などのような他の形状も可能で、円形に限定されないことである。装着部材１０２の形状及び種類はＡＶＳを装着するために適合化され、弁１００の形状に従って変化しても良い。
【００２９】
上側ハウジング１０８は特別に設計されて、上にＡＶＳを装着することができる。第１装着部材１０２は例えば２〜４つの係止歯、又は、磁石又はスナップフィットなどのような、弁１００上にＡＶＳを装着するために用いられる他の手段であることができるが、これらには限定されない。ＡＶＳは、プラスチックのハウジングの中に、送風器及び電子装置を備えていても良い。ＡＶＳは、呼吸器の内側空間から暖かい、湿った空気を一方向弁１００を介して効率的に、早く吸い出すために、弁１００に装着することができる。
【００３０】
中柱１０６は、上側ハウジング１０８の低い側の中心から、下側ハウジング１１０の中心にまで延在する。膜１１４は、図４に示すように、上側ハウジング１０８と下側ハウジング１１０との間に位置し、中柱１０６と膜シート１１６との間の中心でピン留めされる。（図５に示す）ＡＶＳが弁１００上に装着されたときに、膜１１４が開いたときに、能動型通気システムは能動的に空気を吸い出す。本発明の一実施の形態では、膜１１４は、周囲の空気がマスク中に逆流するのを防ぎ、一方向弁１００として動作する。本発明の他の実施の形態では、膜１１４は、例えば、能動型通気システムが電池切れし、及び／又は、動作を停止したときに、周囲の空気がマスク中に逆流するのを防ぐ。
【００３１】
注目すべきことは、一方向弁１００の膜１１４は中央で留められることである。膜１１４は、呼気サイクルの期間に弁１００の全周にわたって開き、呼吸器の内側空間から暖かい、湿った呼気を汲み出す。図４に示すように、下側及び上側ハウジング１０８、１１０は射出成型され、部位１１８で一緒に定着され、呼吸器上に設けられる。図４に示す間隔１１２は、弁及び呼吸器／マスクを装着するために用いられる。
【００３２】
ＡＶＳはマスクから呼気を吸うための電動ファン（electronic fan）を有する。ＡＶＳ２００は、更に、弁１００の第１装着部材１０２上にＡＶＳ２００を固定し、及び、外すための少なくとも１つの第２装着部材２０４を有する。弁１００上に能動型通気システムを固定するときに、例えば、少なくとも１つの溝を有する第２装着部材２０４は、例えば、少なくとも１つの係止歯を備える、少なくとも１つの第１装着部材１０２を受ける。
【００３３】
図５は、弁１００上に装着するための、少なくとも１つの溝を有する第２装着部材２０４を有するＡＶＳ２００を示す。図６は、図１〜４に示す弁１００上に固定された、能動型通気システム２００を示す。能動型通気システム２００は、一方向弁１００の係止歯を挿入して、能動型通気システム２００を時計回りで回すことにより、一方向弁１００上に固定される。注目すべきことは、ＡＶＳ２００内部の送風器は、膜１１４が開いたときにマスク内部の空気を吸って、それを送風器の出口２１０を介して外部雰囲気へと運ぶことである。能動型通気システム２００は、能動型通気システム２００を反時計回りで回すことにより、一方向弁１００から外される。図７に示すように、図１〜４に示す一方向弁１００の上側ハウジング１０８は、能動型通気システム２００が弁１００上に装着されていないときに、美的な目的のために、弁キャップ２０２で覆われる。
【００３４】
図８は、開示した実施の形態に従う、一方向弁１００を設けるための孔３０４を示す、折りたたんで格納することができる、使い捨て可能な、呼吸器３００の側面図である。図９は、呼吸器３００の、図８に示す孔３０４に設けられた、図１に示す円形弁１００を示す。図３に示す弁１００の下側ハウジング１１０は射出成型され、超音波熱定着のようないろいろな手段によって、呼吸器３００の孔３０４上に設けられることができる。最も理想的な弁の形状は円形であるが、長方形のような他の形状にもでき、円形には限定されない。注目すべきことは、孔３０４及び下側ハウジング１１０はどのような形状を採ることができることで、簡略化のために、円形弁１００のための円形孔３０４が図８〜９に示される。
【００３５】
図１０に示すように、図５に示すＡＶＳ２００は、弁１００の上側ハウジング１０８に装着することができる。弁１００の第１装着部材１０２は、ＡＶＳ２００の第２装着部材２０４で固定される。呼気サイクルの期間に、ＡＶＳ２００を有する一方向弁１００は、効率的に、早くマスク３１０の内側の暖かい空気を吸う。図５に示すように、電動送風器はマスク３１０の内部の暖かい空気を吸って、それを送風器の出口２１０を介して雰囲気の外側に運ぶ。膜１１４は一方向性であって、空気だけをマスク３１０の内側から大気へと可能にし、呼気サイクルの期間だけ働く。吸気サイクルの期間は、膜１１４は空気を通さず、空気をマスク３１０の内側に入らせない。共通の装着の仕組みは、２〜４つの係止歯を使うことである。このことは、係止歯の位置合わせをして、時計回りで、又は、反時計回りで回すことにより、ＡＶＳ２００が容易に装着され、又は、取り外されることを可能にする。当業者には、磁石又はスナップフィットを用いるような、装着及び係止の仕組みの他の形態が更にあるかもしれない。
【００３６】
図１１を参照すると、ＡＶＳ２００が弁１００上に装着されていないときに、美的な目的のために、簡単な弁キャップ２０２が代わりに装着されることができる。例えば、能動型通気システム２００が電池切れし、及び／又は、動作を停止したときに、それを反時計回りで回すことにより、一方向弁１００から外すことができる。そして、弁キャップ２０２を弁１００上に装着することができる。図８、１１に示すように、弁キャップ２０２は弁１００の形状を採ることができ、弁キャップ２０２及び弁１００は形状が円形である。呼吸器３００は、折りたたんで格納することができる、使い捨て可能な呼吸器又はフルフェイスフィルタ呼吸器のような、使い捨て可能な、又は、使い捨て可能ではない種類のどちらであることもできるが、これらには限定されない。図８〜１１は、折りたたんで格納することができる、使い捨て可能な種類の呼吸器３００を用いて説明される。更に、図８〜１１に示すように、着用者は、彼／彼女の顔に呼吸装置３００をしっかりと着用するために留め具（latch）３０２の組みを用いることができる。留め具３０２は、留め具（fastener）として用いることができるどのような適切な材料のものであることもできる。留め具３０２は、また、いろいろな顔の特徴の着用者に合うように調整することができる種類のものであることもできる。
【００３７】
注目すべきことは、呼吸器は、ＡＶＳ有りでも、又は、ＡＶＳ無しでも、用いることができることである。どちらの場合でも、呼吸器は、呼吸器の内側空間からの一方向の空気の流れを可能にでき、それゆえ、全国職業保安・健康協会（National Institute for Occupational Safety and Health （ＮＩＯＳＨ））が定めたＮ９５のような認証基準を満たす。ＡＶＳが動作中は、呼吸器が弁内部の開いた膜を介して空気を能動的に吸い出す。着用者の吸入がとても強い場合や、もしも、ＡＶＳが電池切れし、及び／又は、動作を停止した場合に、膜は、周囲の空気が呼吸器の内部に逆流するのを防ぐ。
【００３８】
上記説明を介して、弁の上に装着可能な能動型通気システムを有する呼吸装置が、各呼吸サイクルにおいて、効率的に、早く呼気を排出して、マスクを通気できることが理解できる。全てのこれらの特徴は、マスク内部での能動的な空気交換により、着用者に改善された呼吸体験を提供する。ＡＶＳを用いた一方向弁は、一方向弁又はＡＶＳを個別に用いるのと比べて、効率的に、早く空気交換を改善する。
【００３９】
上記開示した、及び、その他の特徴並びに機能の変形例、置換例は望ましくは結合されて、多くの他の異なるシステム、応用例となることが理解される。当業者により続いてなされるかもしれない、いろいろな現在予期しない、予想しない置換、修正、変形又は改善は、以下の特許請求の範囲により包含されることを意図する。
【００４０】
この開示の実施の形態は、可能な態様を網羅するように包括的に、かなり詳細に説明したが、当業者は、本開示の他の説明も可能であることを認めるであろう。
【図１】
2017516546.tif 000003
【図２】
2017516546.tif 000004
【図３】
2017516546.tif 000005
【図４】
2017516546.tif 000006
【図５】
2017516546.tif 000007
【図６】
2017516546.tif 000008
【図７】
2017516546.tif 000009
【図８】
2017516546.tif 000010
【図９】
2017516546.tif 000011
【図１０】
2017516546.tif 000012
【図１１】
2017516546.tif 000013
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
人の鼻及び口の周りに実質的に気密シールを生成するマスクと、
上側ハウジング、下側ハウジング、膜シート、膜シートにピン留めされた膜、及び、第１装着部材を含む呼吸装置の内側から、呼気を汲み出すための一方向弁と、
電動送風器、電源及び第２装着部材を含む、取り外し可能な通気システムとを備え、
前記取り外し可能な通気システムは、前記一方向弁の前記第１装着部材に接続し、及び、接続を断つことができる
呼吸装置。
【請求項２】
前記取り外し可能な通気システムは、呼気サイクルの期間に動作する能動型通気システムである
請求項１記載の呼吸装置。
【請求項３】
前記能動型通気システムが接続されているときに能動型通気システムともに用い、前記能動型通気システムが接続されていないときに能動型通気システムなしで用いることができる
請求項２記載の呼吸装置。
【請求項４】
下側及び上側ハウジングは、射出成型され、一緒に定着され、呼吸器上に設けられる
請求項１乃至請求項３のいずれか１項記載の呼吸装置。
【請求項５】
上側ハウジングは、上側ハウジングの外周から中柱にまで延在する、複数の支柱を有する
請求項１記載の呼吸装置。
【請求項６】
中柱は、上側ハウジングの低い側の中心から下側ハウジングの中心にまで延在する
請求項５記載の呼吸装置。
【請求項７】
膜は、上側及び下側ハウジングの間に位置し、膜は中柱と膜シートとの間の中心でピン留めされる
請求項５記載の呼吸装置。
【請求項８】
膜は、呼気サイクルの期間に、弁の全周で開き、呼吸器の内側空間から暖かい、湿った呼気を汲み出す
請求項１記載の呼吸装置。
【請求項９】
通気システムは、膜が開いたときに、能動的に空気を吸い出す
請求項１記載の呼吸装置。
【請求項１０】
膜は、周囲の空気がマスク内部へ逆流するのを防ぐ
請求項１記載の呼吸装置。
【請求項１１】
膜は、通気システムが電源切れし、及び／又は、動作を停止したときに、周囲の空気がマスク内部へ逆流するのを防ぐ
請求項１記載の呼吸装置。
【請求項１２】
一方向弁の上側ハウジングは、美的な目的のために、弁キャップで覆われる
請求項１記載の呼吸装置。
【請求項１３】
第２装着部材は、少なくとも１つの係止歯を有し、第１装着部材は、少なくとも１つの係止歯を受けるための、少なくとも１つの溝を有する
請求項２記載の呼吸装置。
【請求項１４】
通気システムは、その溝を一方向弁の係止歯に挿入し、能動型通気システムを時計回りで回すことにより、一方向弁に固定される
請求項１３記載の呼吸装置。
【請求項１５】
通気システムは、能動型通気システムを反時計回りで回すことにより、一方向弁から外される
請求項１３記載の呼吸装置。
【請求項１６】
第１及び第２装着部材は、磁石、及び／又は、スナップフィットを備える
請求項２記載の呼吸装置。
【請求項１７】
呼吸装置は、使い捨て可能な、又は、使い捨て可能ではない
請求項１記載の呼吸装置。
【国際調査報告】
2017516546.tif 000014
2017516546.tif 000015
2017516546.tif 000016
2017516546.tif 000017